(57)【特許請求の範囲】
【請求項１】
遊技制御の制御内容に応じて夫々独立の基板に構成された複数の制御基板(39,40,42,43,46)と、これらの制御基板(39,40,42,43,46)に電力を供給する電源基板(45)と、この電源基板(45)を複数の制御基板(39,40,42,43,46)に夫々電気的に接続して電力を供給する複数の電源配線群 (90〜94) とを備え且つ各電源配線 (90〜94) の導体部が複数の素線を撚り合わせて構成された弾球遊技機において、
前記複数の制御基板(39,40,42,43,46)は、遊技動作に関連する抽選を行って遊技者に有利な第１状態と遊技者に不利な第２状態とを択一的に決定する抽選機能を有する主制御基板(39)と、この主制御基板(39)とは別基板に構成され且つ主制御基板(39)から受ける制御信号に基づいて遊技制御を行う副制御基板(40,42,43,46) を有し、
前記複数の電源配線群 (90〜94) は、主制御基板(39)に接続される第１電源配線群(90)と、副制御基板(40,42,43,46) に接続される第２電源配線群 (91〜94) とを有し、
前記第１電源配線群(90)の複数の電源配線(90a〜90c)の導体部の単位長さ当たりの表面積が第２電源配線群 (91〜94) の複数の電源配線(91a〜91c,92a 〜92c,93a 〜93c,94a 〜94c)の導体部の単位長さ当たりの表面積より大きいことを特徴とする弾球遊技機。
【請求項２】
前記第１電源配線群(40)の複数の電源配線(90a〜90c)の導体部を形成する素線(97,98) の総数が、第２電源配線群(91 〜94) の複数の電源配線(91a〜91c,92a 〜92c,93a 〜93c,94a 〜94c)の導体部を形成する素線(96)の総数よりも多いことを特徴とする請求項１に記載の弾球遊技機。
【請求項３】
前記第１電源配線群(40)がグランド線(90c) と複数の給電線(90b,90c) を含み、グランド線(90c) の導体部の単位長さ当たりの表面積が各給電線(90b,90c) の導体部の単位長さ当たりの表面積より大きいことを特徴とする請求項１に記載の弾球遊技機。
【請求項４】
前記グランド線(90c) の導体部を構成する素線(98)の本数が各給電線(90b,90c) を構成する素線(97)の本数より多いことを特徴とする請求項３に記載の弾球遊技機。
【請求項５】
前記電源基板(45)は交流電力から直流電力を生成する整流回路(84,85) を有することを特徴とする請求項１〜４の何れかに記載の弾球遊技機。
【発明の詳細な説明】
【０００１】
【発明の属する技術分野】
本発明は弾球遊技機に関し、特に主制御基板に蓄積する高周波ノイズを電源配線を介して電源基板に効率良く逃がすようにしたものに関する。
【０００２】
【従来の技術】
従来、弾球遊技機としてのパチンコ機においては、発射手段により遊技球を遊技盤の遊技領域に発射させ、遊技盤に沿って落下する遊技球が図柄始動手段や普通入賞手段に入賞した場合、払出し装置が作動して入賞の種類に応じた個数の遊技球が案内通路を経て球受け皿に払出される。そのために、パチンコ機の裏側に設けられた裏機構板には球タンクとタンクレールとが設けられ、島構造体毎に配設された遊技球搬送路から搬送されてくる遊技球が球タンク及びタンクレールを介して払出し装置に補給される。
【０００３】
ところで、これら遊技球搬送路や球タンク、タンクレール等の案内通路は合成樹脂製の絶縁体であるため、遊技球が磨き装置で磨かれるときに発生した静電気が遊技球に帯電したり、ホール側の遊技球搬送路から球タンクやタンクレール等の案内通路で搬送される途中で、遊技球が案内通路や遊技球と摩擦接触したり衝突したときにも静電気が発生し、遊技球に帯電（所謂接触帯電）する場合がある。それ故、静電気を帯びた遊技球が案内通路や払出し装置を移動中に、遊技球同志又は案内通路と衝突したり離れるときに、遊技球自体がアンテナとして作用して、他の遊技球や空中に点集中放電が発生する。
【０００４】
その結果、その空中放電により高周波ノイズが発生し、遊技制御を司る制御部の制御信号に悪影響を及ぼし、制御部においては動作停止したり、誤動作する場合がある。更に、パチンコホールには多数の照明器具が設置されるとともに、空調装置等の大型の電力機器が設置されており、照明器具のうちの特に蛍光灯における放電に伴う高周波ノイズが発生したり、電力機器の運転に伴って高周波ノイズが発生し、この種の高周波ノイズも制御部に悪影響を及ぼしている。
【０００５】
そこで、従来においては、球タンクやタンクレール等の案内通路の一部に遊技球が接触可能なように小型の金属板を設け、内枠を外枠に回動自在に連結するヒンジ金具とその金属板とを接続し、遊技球に帯電した静電気をヒンジ金具に誘導して接地するようにしている。
【０００６】
【発明が解決しようとする課題】
従来の弾球遊技機では、前述したように、遊技球を案内する案内通路に小型の金属板を設け、この金属板を介してヒンジ金具に接地して逃がすようにしているが、そのヒンジ金具は小型で且つ本格的な接地板でないため、十分な高周波ノイズ対策が行われてない。更に、照明器具や電力機器などから受ける外部からの高周波ノイズについては、現時点においては、効果的な対策が講じられていないのが現状である。
本発明の目的は、弾球遊技機の内部や外部から受けて主制御基板に蓄積する高周波ノイズを効果的に除去できるようにすること、ノイズ対策を一層強化して遊技制御の誤動作を確実に防止できるようにすること、等である。
【０００７】
【課題を解決するための手段】
請求項１の弾球遊技機は、遊技制御の制御内容に応じて夫々独立の基板に構成された複数の制御基板と、これらの制御基板に電力を供給する電源基板と、この電源基板を複数の制御基板に夫々電気的に接続して電力を供給する複数の電源配線群とを備え且つ各電源配線の導体部が複数の素線を撚り合わせて構成された弾球遊技機において、複数の制御基板は、遊技動作に関連する抽選を行って遊技者に有利な第１状態と遊技者に不利な第２状態とを択一的に決定する抽選機能を有する主制御基板と、この主制御基板とは別基板に構成され且つ主制御基板から受ける制御信号に基づいて遊技制御を行う副制御基板を有し、複数の電源配線群は、主制御基板に接続される第１電源配線群と、副制御基板に接続される第２電源配線群とを有し、第１電源配線群の複数の電源配線の導体部の単位長さ当たりの表面積が第２電源配線群の複数の電源配線の導体部の単位長さ当たりの表面積より大きいものである。
【０００８】
主制御基板は第１電源配線群を介して電源基板から５Ｖや１２Ｖの直流等の電力供給を受け、遊技動作に関連する抽選を行って遊技者に有利な第１状態と遊技者に不利な第２状態とを択一的に決定する抽選機能を実行する。また、副制御基板は第２電源配線群を介して電源基板から５Ｖや１２Ｖの直流等の電力供給を受け、主制御基板から受ける制御信号に基づいて遊技制御を実行する。ところで、電源配線等の良導体を高周波ノイズによる高周波電流が流れる場合、その周波数が高くなる程、導体の表面近くを流れるという表皮効果が存在する。
【０００９】
それ故、弾球遊技機の内部で発生した高周波ノイズや外部からの高周波ノイズを主制御基板が受けた場合であっても、第１電源配線群の複数の電源配線の導体部の単位長さ当たりの表面積が、第２電源配線群の複数の電源配線の導体部の単位長さ当たりの表面積より大きいため、第１電源配線群に有する電源配線としてのグランド線による表皮効果を高めることができ、主制御基板に蓄積する高周波ノイズの第１電源配線群による電源基板への流れを効果的に促進することができる。
【００１０】
請求項２の弾球遊技機は、請求項１の発明において、前記第１電源配線群の複数の電源配線の導体部を形成する素線の総数が、第２電源配線群の複数の電源配線の導体部を形成する素線の総数よりも多いものである。この場合、第１電源配線群に有するグランド線の素線数が第２電源配線群の複数の電源配線の導体部を形成する素線数よりも多い程、グランド線による表皮効果をより一層高めることができ、主制御基板の高周波ノイズの電源基板への流れをより効果的に促進することができる。
【００１１】
請求項３の弾球遊技機は、請求項１の発明において、前記第１電源配線群がグランド線と複数の給電線を含み、グランド線の導体部の単位長さ当たりの表面積が各給電線の導体部の単位長さ当たりの表面積より大きいものである。それ故、第１電源配線群に有するグランド線の導体部の単位長さ当たりの表面積が各給電線の導体部の単位長さ当たりの表面積より大きい程、グランド線による表皮効果をより一層高めることができ、主制御基板の高周波ノイズの電源基板への流れをより効果的に促進することができる。
【００１２】
請求項４の弾球遊技機は、請求項３の発明において、前記グランド線の導体部を構成する素線の本数が各給電線を構成する素線の本数より多いものである。この場合、グランド線の素線数がその他の給電線を構成する素線の本数より多い程、グランド線による表皮効果をより一層高めることができ、主制御基板の高周波ノイズの電源基板への流れをより効果的に促進することができる。
【００１３】
請求項５の弾球遊技機は、請求項１〜４の何れかの発明において、前記電源基板は交流電力から直流電力を生成する整流回路を有するものである。それ故、主制御基板からの高周波ノイズは第１電源配線群の特にグランド線を介して電源基板に有するグランドパターンに誘導され、そのグランドパターンから直流電力生成用に設けられた整流回路の接地側ダイオード及び交流ラインを経て外部の交流電源に排出することができる。
【００１４】
【発明の実施の形態】
以下、本発明の実施の形態について図面に基いて説明する。
本実施形態は、パチンコホールの島構造体に設置される所謂カード式弾球遊技機と呼ばれる第１種パチンコ機に本発明を適用した場合の一例であり、パチンコホールに設けられた島構造体には、その長さ方向に複数のカード式球貸し機１と複数のパチンコ機２とが交互に配設され、カード式球貸し機１はパチンコ機２に電気的に接続されている。
【００１５】
図１〜図４に示すように、カード式弾球遊技機であるパチンコ機２は、矩形枠状の外枠３と、この外枠３に開閉自在に枢着された前枠４とを有し、カード式球貸し機１をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と発射用の遊技球を貯留する球受け皿８の前面板とが夫々開閉自在に枢着されている。前枠４の下部には、球受け皿８から溢流し又は抜き取った遊技球を貯留する下皿９と、発射手段１０の発射ハンドル１１とが設けられている。
【００１６】
この発射手段１０は、回動操作可能な発射ハンドル１１と、この発射ハンドル１１を回動操作した回動角度に応じた打撃力で打撃槌１２により遊技球を発射させる発射モータ１３（図３、図５参照）などを備えている。球受け皿８の右部には、カード式球貸し機１に対する球貸し操作用の操作パネル１４が設けられ、この操作パネル１４には、カード残額を３桁の数字で表示するカード残額表示部１４ａと、所定金額分の遊技球の球貸しを指示する球貸しスイッチ１４ｂと、遊技終了時にカードの返却を指令する返却スイッチ１４ｃとが設けられている。
【００１７】
図２に示すように、遊技盤５には、金属製の外レールと内レールとからなるガイドレール１５がほぼ環状に設けられ、このガイドレール１５の内側の遊技領域５ａには、カラーの液晶ディスプレイ１６、図柄始動手段（図柄始動兼入賞手段）１７、開閉式入賞手段（大入賞手段）１８、複数の普通入賞手段１９（この場合、上段の普通入賞手段１９以外に、開閉式入賞手段１８の左右両側部に、例えば６つの普通入賞手段１９）、２つの作動口２０（通過口）等が夫々所定の位置に配設されている。
【００１８】
液晶ディスプレイ１６は、変動図柄を表示するとともに背景画像や各種のキャラクタの動画などを表示する表示機能を有し、更に、３つの図柄を変動表示する特別図柄表示手段２２として機能するとともに、２つの図柄からなる普通図柄を表示する普通図柄表示手段２３として機能する図柄表示手段２１が設けられている。特別図柄表示手段２２は、例えば左右方向に並ぶ３個（左、中、右）の図柄表示部２２ａ〜２２ｃを有し、図柄始動手段１７に遊技球が入賞することを条件に、図柄表示部２２ａ〜２２ｃに特定図柄が所定時間だけ変動表示（スクロール表示）される。
【００１９】
そして、図柄始動手段１７への遊技球の入賞タイミングに応じた抽選結果に基づいて決定される停止図柄パターンで停止する。普通図柄表示手段２３は、例えば図柄表示手段２１の右下部に、左右方向に並ぶ２個（左、右）の図柄表示部２３ａ〜２３ｂを有し、作動口２０を通過した遊技球を検出したとき、各図柄表示部２３ａ〜２３ｂに普通図柄を所定時間だけ変動表示し、遊技球の作動口２０通過時点において抽選された抽選用数値により決定される停止図柄パターンを表示して停止するようになっている。
【００２０】
図柄始動手段１７は開閉自在な左右１対の開閉爪１７ａを備えた電動式チューリップであり、普通図柄表示手段２３の変動後に停止した普通図柄が当たり図柄となった当たり発生時に、開閉爪１７ａが所定時間だけ開放されて入賞し易くなる。開閉式入賞手段１８は前方に開放可能な開閉板１８ａを備え、特別図柄表示手段２２の変動後に停止した図柄が「７７７」、「４４４」等の特定態様のとき、所謂「大当たり」と称する特別遊技が開始され、開閉板１８ａが前方に開放される。この開閉式入賞手段１８の内部に特定領域１８ｂがあり、この特定領域１８ｂを入賞球が通過したとき、特別遊技が継続される。ここで、特別遊技状態が遊技者に有利な利益状態（第１状態に相当する）である。
【００２１】
開閉式入賞手段１８の開閉板１８ａが開放された後、所定時間（例えば、約２０秒間）が経過し、又は所定数（例えば１０個）の遊技球が入賞して開閉板１８ａが閉じるときに、遊技球が特定領域１８ｂを通過していないときに特別遊技が終了するが、特定領域１８ｂを通過していれば最大所定回数（例えば１６回）まで特別遊技が継続され、遊技者に有利な第１状態に制御される。
【００２２】
図３、図４に示すように、前枠４の裏側には、遊技盤５を裏側から押さえる裏機構板３０が着脱自在に装着され、この裏機構板３０には開口部３０ａが形成され、その上側に球タンク３３と、これから延びるタンクレール３４とが設けられ、このタンクレール３４に接続された払出し装置３５が裏機構板３０の側部に設けられ、裏機構板３０の下側には払出し装置３５に接続された払出し球誘導路３６が設けられている。払出し装置３５から払出された遊技球は払出し球誘導路３６を経由して球受け皿８に払出される。
【００２３】
裏機構板３０の開口部３０ａには、遊技盤５の裏側に装着された裏カバー３７と、入賞手段１７〜１９に入賞した遊技球を排出する入賞球排出樋（図示略）とが夫々嵌合されている。この裏カバー３７に装着された基板ケース３８の内部に主制御基板３９が配設され、その前側に図柄制御基板４０が配設されている。主制御基板３９の下側で、裏カバー３７に装着された基板ケース４１ａの内部にランプ制御基板４２が設けられ、この基板ケース４１ａに隣接する基板ケース４１ｂの内部にサウンド制御基板４３が設けられている。
【００２４】
これら基板ケース４１ａ，４１ｂの下側で裏機構板３０に装着された基板ケース４４の内部には、電源基板４５と払出し制御基板４６が夫々設けられている。更に、発射モータ１３の後側に装着された基板ケース４７の内部には、発射制御基板４８が設けられている。これら制御基板３９〜４０，４２〜４３，４５〜４６，４８は夫々独立のプリント基板で構成され、電源基板４５と発射制御基板４８を除くその他の制御基板３９，４０，４２，４３，４６には、ＣＰＵとＲＯＭやＲＡＭ等を有する１チップ集積回路からなるマイクロコンピュータ（図示略）が夫々設けられている。
【００２５】
主制御基板３９とその他の制御基板４０，４２，４３，４６とは、複数本の信号線でコネクタを介して電気的に接続され、主制御基板３９から各制御基板４０，４２，４３，４６に、所定の遊技動作を実行させる種々の制御コマンドを一方向通信にて送信可能になっている。制御コマンドの一方向通信を採用することで、普通図柄や特別図柄の図柄停止に関する不正を確実に防止できるとともに、主制御手段５０の制御負荷を格段に軽減でき、送信制御を格段に簡単化することができる。
【００２６】
次に、パチンコ機２の制御装置に予め格納した複数の制御プログラムを介して達成される種々の機能について、図５の機能ブロック図により説明する。但し、これら種々の機能は前述したマイクロコンピュータ等で達成される。主制御基板３９上に構成された主制御手段５０は、遊技盤５に設けられた種々の遊技部品や遊技球検出スイッチ等に対する信号の入出力に関わる、所謂遊技盤５の遊技制御を主として司るとともに、後述する図柄制御手段６０、払出し制御手段７０、ランプ制御手段７１、サウンド制御手段７３等に必要に応じて制御コマンドを送信出力する。
【００２７】
図柄制御基板４０上に構成された図柄制御手段６０は、主制御手段５０から送信されてくる図柄制御コマンドに基づいて、液晶ディスプレイ１６に種々の動画や背景画を表示させる表示制御を実行したり、各図柄表示部２２ａ〜２２ｃの特別図柄を変動制御するとともに、各図柄表示部２３ａ〜２３ｂの普通図柄を変動制御し、指示された停止図柄を表示するように普通図柄と特別図柄の変動停止を制御する。払出し制御基板４６上には払出し制御手段７０が構成され、この払出し制御手段７０は主制御手段５０から払出し制御コマンドを受信し、払出し装置３５による遊技球の払出し制御を司る。
【００２８】
ランプ制御基板４２上に構成されたランプ制御手段７１は、主制御手段５０からランプ制御コマンドを受信し、遊技盤５等に設けられた多数の装飾用ランプや演出用ランプを含むランプ群７２の点灯制御を司る。サウンド制御基板４３上に構成されたサウンド制御手段７３は、主制御手段５０からサウンド制御コマンドを受信し、球受け皿８の裏側に設けられたスピーカ７４に対する各種の音響効果音の為のサウンド出力制御を司る。発射制御基板４８上に構成された発射制御手段７５は、発射モータ１３を駆動して遊技球の発射制御を司る。
【００２９】
主制御手段５０は、抽選手段５１と、判定手段５２と、利益状態発生手段５３と、確率変動手段５４と、図柄決定手段５５と、コマンド送信手段５６等を備えている。抽選手段５１は、抽選用カウンタを用いて微小な更新周期（例えば、約２msec周期）で抽選用数値を所定の範囲（例えば、０〜２９９）で更新し、特別図柄に関して、図柄始動手段１７に遊技球が入賞したときの数値を抽出することにより、当たり外れに関する抽選を行なうとともに、確率変動型大当たりか否かについても抽選し、更に普通図柄に関しても作動口２０に遊技球が入賞したときの数値を抽選する。
【００３０】
判定手段５２は、図柄始動手段１７や作動口２０に遊技球が入賞したときに抽選手段５１から供給される抽選された数値に基づいて、特別図柄に関して「大当り」又は「外れ（外れリーチを含む）」の何れであるかを判定するとともに、確率変動型大当たりに関しても判定し、更に普通図柄に関しても「当り」又は「外れ」の何れであるかを判定する。利益状態発生手段５３は、判定手段５２から大当たりの判定結果を受ける、若しくは、特別図柄表示手段２２の変動後の停止図柄が大当たり図柄となることを条件に、遊技制御に含まれる所定の利益状態発生ルーチンにより開閉式入賞手段１８の開閉板１８ａを前述したように作動させて、遊技者に第１利益状態を与える。
【００３１】
確率変動手段５４は、判定手段５２から大当たりの判定結果を受けた場合に、その「大当たり」が確率変動型大当たりのときに確率変動モードを設定し、次回或いは次々回の大当たり迄、或いは所定回数図柄が変動する迄、判定手段５２による大当たり判定に際して大当たりとする特定数値の数を通常のときよりも多くし、大当たり確率を高くするように判定手段５２に指令するとともに、普通図柄が「当たり」の場合には開閉式入賞手段１８の開放時間を延長して入賞し易くし、遊技者に有利な第１利益状態が付与される。
【００３２】
図柄決定手段５５は、判定手段５２からの判定結果に応じて、所定の抽選プログラムにより、複数の普通図柄に関する図柄変動パターンのうちから、「当たり」のときには当たり普通図柄の何れかを、「外れ」のときには外れ普通図柄の何れかを抽選により決定するとともに、複数の特別図柄に関する図柄変動パターンのうちから、「大当たり」のときには大当たり特定態様の何れかを、「外れ」のときには外れ図柄の組合せの何れかを、夫々抽選により決定する。但し、「外れ」のうちのリーチを行うと判定したときには、そのリーチ変動を行った後に外れ図柄の何れかで停止する。
【００３３】
コマンド送信手段５６は、図柄決定手段５５で決定された図柄変動パターンに基づいて、図柄制御手段６０に対して普通図柄や特別図柄の図柄変動パターンに関する制御コマンドに加えて、その変動制御に関する種々の図柄制御コマンドを送信するとともに、払出し制御手段７０とランプ制御手段７１とサウンド制御手段７３等に対して、必要に応じてその図柄変動に関する種々の制御コマンドを送信する。
【００３４】
図柄制御手段６０は、普通図柄表示手段２３を制御する普通図柄制御手段６１と、特別図柄表示手段２２を制御する特別図柄制御手段６２等を有し、コマンド送信手段５６から送信される図柄制御コマンドを受信し、受信した図柄制御コマンドを解析するとともに、解析により得られた制御コマンドに基づいて、普通図柄表示手段２３の各図柄表示部２３ａ〜２３ｂにおける普通図柄変動を制御するとともに、特別図柄表示手段２２の各図柄表示部２２ａ〜２２ｃにおける特別図柄変動を制御する。
【００３５】
次に、電源基板４５について、図６に基づいて説明する。
コネクタ８０を介して外部の交流電源から供給されるＡＣ２４Ｖの入力ライン８１，８２には、ヒューズ８３と２つの全波整流器８４，８５（これが整流回路に相当する）が設けられ、全波整流器８４によりＤＣ２４ＶやＤＣ３２Ｖが生成され、全波整流器８５により得られた直流に基づいて、５Ｖ生成回路８６によりＤＣ５Ｖが生成されるととともに、２つの１２Ｖ生成回路８７によりＤＣ１２Ｖが生成される。両入力ライン８１，８２間には、外部の交流電源から供給された４７Ｖ以上の高圧の交流を、その交流電源に強制的に戻すバリスタ８８が設けられている。
【００３６】
主制御基板３９と電源基板４５とはコネクタを両端に有する第１電源配線群９０で接続され、図柄制御基板４０と電源基板４５とはコネクタを両端に有する図柄用電源配線群９１で接続され、ランプ制御基板４２と電源基板４５とはコネクタを両端に有するランプ用電源配線群９２で接続され、サウンド制御基板４３と電源基板４５とはコネクタを両端に有するサウンド用電源配線群９３で接続され、払出し制御基板４６と電源基板４５とはコネクタを両端に有する払出し用電源配線群９４で接続されている。ここで、これら電源配線群９１〜９４が第２電源配線群に相当する。
【００３７】
ところで、電源配線群９０〜９４には、５Ｖ用電源配線９０ａ，９１ａ，９２ａ，９３ａ，９４ａと、１２Ｖ用電源配線９０ｂ，９１ｂ，９２ｂ，９３ｂ，９４ｂ等の給電線に加えて、電源配線としての接地用グランド線９０ｃ，９１ｃ，９２ｃ，９３ｃ，９４ｃが含まれている。ここで、これら給電線９０ａ，９０ｂ、９１ａ，９１ｂ、９２ａ，９２ｂ、９３ａ，９３ｂ、９４ａ，９４ｂ及びグランド線９０ｃ〜９４ｃは、複数の素線を撚り合わせた撚り線からなっている。
【００３８】
ここで、各電源配線９１ａ〜９１ｃ、９２ａ〜９２ｃ、９３ａ〜９３ｃ、９４ａ〜９４ｃの導体部を形成する素線９６の太さは、図７に示すように、標準サイズ（例えば、0.125mm)であり、素線９６の本数は標準的な２０〜３０本であるが、第１電源配線群９０の５Ｖ用給電線９０ａと１２Ｖ用給電線９０ｂの導体部を形成する素線９７の太さは、図８に示すように、図７に示す標準サイズよりも大きい中型サイズ（例えば、0.25mm) であり、素線９７の本数は標準の電源配線９１ａ〜９１ｃ、９２ａ〜９２ｃ、９３ａ〜９３ｃ、９４ａ〜９４ｃよりも多い３５〜４０本である。
【００３９】
更に、第１電源配線群９０のグランド線９０ｃの導体部を形成する素線９８の太さは、図９に示すように、図８に示す中型サイズよりも大きい大型サイズ（例えば、0.35mm) であり、素線９８の本数は中型サイズの電源配線９０ａ，９０ｂよりも多い４５〜５０本である。即ち、第１電源配線群９０の複数の電源配線９０ａ〜９０ｃの導体部を形成する素線９７，９８の総数が、その他の電源配線群９１〜９４の複数の電源配線９１ａ〜９１ｃ、９２ａ〜９２ｃ、９３ａ〜９３ｃ、９４ａ〜９４ｃの導体部を形成する素線９６の総数よりも多い。
【００４０】
ここで、グランド線９０ｃ，９１ｃ，９２ｃ，９３ｃ，９４ｃ及びコネクタを介して、各基板３９，４０，４２，４３，４６のグランドパターン（図示略）と電源基板４５のグランドパターン（図示略）とが電気的に接続されている。このように、第１電源配線群９０の複数の電源配線９０ａ〜９０ｃの導体部の単位長さ当たりの表面積がその他の電源配線群９１〜９４の複数の電源配線９１ａ〜９１ｃ、９２ａ〜９２ｃ、９３ａ〜９３ｃ、９４ａ〜９４ｃの導体部の単位長さ当たりの表面積よりも大きく、しかも、グランド線９０ｃの導体部を構成する素線９８の本数が各給電線９０ａ，９０ｂを構成する素線９７の本数より多い。
【００４１】
即ち、グランド線９０ｃの導体部の単位長さ当たりの表面積が各給電線９０ａ，９０ｂの導体部の単位長さ当たりの表面積よりも大きい。それ故、表面積が最も大きい第１電源配線群９０のグランド線９０ｃの表皮効果を有効に発揮して、主制御基板３９に蓄積する高周波ノイズを電源基板４５のグランドパターンに効率よく誘導して逃がすことができるようになっている。
【００４２】
次に、第１電源配線群９０により、主制御基板３９の高周波ノイズを電源基板４５を介して外部の交流電源に誘導して逃がす作用について説明する。
パチンコ機２の裏側に設けられた球タンク３３やタンクレール３４等の案内通路は合成樹脂製の絶縁体であるため、遊技球がホール側の遊技球搬送路から球タンク３３やタンクレール３４に搬送される途中で、案内通路や遊技球同志で摩擦接触したり衝突したときに静電気が発生し、遊技球に帯電（所謂接触帯電）する場合があり、その静電気を帯びた遊技球が移動中に、遊技球同志又は案内通路と衝突したり離れるときに、遊技球自体がアンテナとして作用して、他の遊技球や空中に点集中放電が発生し、その空中放電により高周波ノイズが発生する。
【００４３】
一方、パチンコホールには多数の照明器具が設置されるとともに、空調装置等の大型の電力機器が設置されているため、照明器具のうちの特に蛍光灯における放電に伴う高周波ノイズが発生したり、電力機器の運転に伴って高周波ノイズが発生する。そこで、主制御基板３９が高周波ノイズを受ける場合であっても、第１電源配線群９０のグランド線９０ｃの導体部の単位長さ当たりの表面積が最も大きく、しかもその素線９８の本数も最も多いため、グランド線９０ｃによる表皮効果を格段に高めることができ、主制御基板３９に蓄積する高周波ノイズのグランド線９０ｃによる電源基板４５のグランドパターンへの流れを一層効果的に促進することができる。
【００４４】
その結果、電源基板４５においては、その高周波ノイズを、グランドパターンに接続された全波整流器８４，８５の接地側ダイオード８４ａ，８５ａ及び入力ライン８１，８２を経て外部の外部の交流電源に排出することができる。このように、主制御基板３９に対するノイズ対策を一層強化でき、主制御基板３９による遊技制御の誤動作を確実に防止することができる。尚、その他の制御基板４０，４２，４３，４６が受けた高周波ノイズについても同様に、各グランド線９１ｃ〜９４ｃを経て電源基板４５のグランドパターンに確実に流れる。
【００４５】
前記実施形態の変更形態について説明する。
１〕第１電源配線群９０に有する給電線９０ａ，９０ｂの導体部を、グランド線９０ｃに用いた素線９８と同様の太さ及び本数を有する素線で構成してもよい。この場合、第１電源配線群９０の製作が簡単化する。
２〕図柄用電源配線群９１についても第１電源配線９０と同様の太さ及び本数の素線を用いて構成することも可能である。
３〕第１電源配線群９０に、複数本のグランド線９０ｃを含めるようにしてもよい。
【００４６】
４〕複数の第１電源配線群９０を用いて主制御基板３９と電源基板４５とを電気的に接続するようにしてもよい。
５〕本発明は、以上説明した実施形態に限定されるものではなく、本発明の趣旨を逸脱しない範囲で種々変更を付加し、更に、パチンコ機に限らず、各種の遊技媒体を用いるアレンジボール機、雀球機等の種々の弾球遊技機に本発明を適用することが可能である。
【００４７】
【発明の効果】
請求項１の発明によれば、複数の制御基板と電源基板と複数の電源配線群とを備え且つ各電源配線の導体部が複数の素線を撚り合わせて構成され、複数の制御基板は主制御基板と副制御基板を有し、複数の電源配線群は主制御基板に接続される第１電源配線群と副制御基板に接続される第２電源配線群とを有し、第１電源配線群の複数の電源配線の導体部の単位長さ当たりの表面積が第２電源配線群の複数の電源配線の導体部の単位長さ当たりの表面積より大きいので、第１電源配線群に有するグランド線の表皮効果を高めて、主制御基板側高周波ノイズの電源基板側への流れを促進できるため、ノイズ対策を一層強化して、主制御基板による遊技制御の誤動作を確実に防止することができる。
【００４８】
請求項２の発明によれば、前記第１電源配線群の複数の電源配線の導体部を形成する素線の総数が、第２電源配線群の複数の電源配線の導体部を形成する素線の総数よりも多いので、第１電源配線群に有するグランド線の素線数が第２電源配線群の複数の電源配線の導体部を形成する素線数よりも多い程、グランド線による表皮効果をより一層高めることができ、主制御基板の高周波ノイズの電源基板への流れをより効果的に促進することができる。その他請求項１と同様の効果が得られる。
【００４９】
請求項３の発明によれば、前記第１電源配線群がグランド線と複数の給電線を含み、グランド線の導体部の単位長さ当たりの表面積が各給電線の導体部の単位長さ当たりの表面積より大きいので、第１電源配線群に有するグランド線の導体部の単位長さ当たりの表面積が各給電線の導体部の単位長さ当たりの表面積より大きい程、グランド線による表皮効果をより一層高めることができ、主制御基板の高周波ノイズの電源基板への流れをより効果的に促進することができる。その他請求項１と同様の効果を奏する。
【００５０】
請求項４の発明によれば、前記グランド線の導体部を構成する素線の本数が各給電線を構成する素線の本数より多いので、グランド線の素線数がその他の給電線を構成する素線の本数より多い程、グランド線による表皮効果をより一層高めることができ、主制御基板の高周波ノイズの電源基板への流れをより効果的に促進することができる。その他請求項３と同様の効果を奏する。
【００５１】
請求項５の発明によれば、前記電源基板は交流電力から直流電力を生成する整流回路を有するので、主制御基板からの高周波ノイズは第１電源配線群の特にグランド線を介して電源基板に有するグランドパターンに誘導され、そのグランドパターンから直流電力生成用に設けられた整流回路の接地側ダイオード及び交流ラインを経て外部の交流電源に排出することができる。その他請求項１〜４の何れかと同様の効果を奏する。
【図面の簡単な説明】
【図１】本発明の実施形態に係るパチンコ機（弾球遊技機）の斜視図である。
【図２】パチンコ機の遊技盤の正面図である。
【図３】パチンコ機の背面図である。
【図４】パチンコ機の側面図である。
【図５】パチンコ機の制御系の機能ブロック図である。
【図６】電源基板の電源回路図及び電源配線図である。
【図７】副制御基板との接続に用いる標準サイズの電源配線の斜視図である。
【図８】中型サイズの図７相当図である。
【図９】大型サイズの図７相当図である。
【符号の説明】
２                パチンコ機（弾球遊技機）
５                遊技盤
１７              図柄始動手段
２５              遊技球
３９              主制御基板
４０              図柄制御基板
４２              ランプ制御基板
４３              サウンド制御基板
４５              電源基板
４６              払出し制御基板
５０              主制御手段
９０              第１電源配線群
９０ａ〜９０ｂ    電源配線（給電線）
９１              図柄用電源配線群
９１ａ〜９１ｂ    電源配線（給電線）
９２              ランプ用電源配線群
９２ａ〜９２ｂ    電源配線（給電線）
９３              サウンド用電源配線群
９３ａ〜９３ｂ    電源配線（給電線）
９４              払出し用電源配線群
９４ａ〜９４ｂ    電源配線（給電線）
９０ｃ〜９４ｃ    電源配線（グランド線）
９６〜９８        素線
【図１】
0003810054.tif 000002
【図２】
0003810054.tif 000003
【図３】
0003810054.tif 000004
【図４】
0003810054.tif 000005
【図５】
0003810054.tif 000006
【図６】
0003810054.tif 000007
【図７】
0003810054.tif 000008
【図８】
0003810054.tif 000009
【図９】
0003810054.tif 000010